(57)【特許請求の範囲】
【請求項１】
メッセージを送信するための方法であって、
サービスエリアにおける複数の異なるサービスのための送信順序を定義するステップと、
同じトランスポート・ブロック（ＴＢ）内の複数の異なるメッセージの配列順序を定義するステップと、
第１のメッセージ及びそのＴＢのコンテンツを同期化するために、複数の異なるサービスのための該送信順序及び複数の異なるメッセージの該配列順序を搬送する該第１のメッセージを生成し送信するステップとを備える方法。
【請求項２】
請求項１に記載の方法において、
サービスエリアにおける複数の異なるサービスのための送信順序を定義するステップが、
該サービスエリアにおける複数の異なるサービスの該送信順序をマルチメディア・ブロードキャスト・マルチキャスト・サービス（ＭＢＭＳ）調整エンティティ（ＭＣＥ）によって判定し、それを送信のために第２のメッセージに入れて搬送するステップと、
該サービスエリアにおける様々なサービスの該送信順序を該第２のメッセージから基地局によって抽出するステップとを備える方法。
【請求項３】
請求項１に記載の方法において、
サービスセッションを停止するための命令が受信されたときは、次の修正期間（ＭＰ）の開始時に該サービスセッションに関する無線ベアラ（ＲＢ）情報を除去するステップをさらに備える方法。
【請求項４】
請求項１に記載の方法において、
すべての基地局が同じＭＰ時点において同じ第１のメッセージを送信することができることを保証するために同じアクティブ化タイミングによって該第１のメッセージを送信するステップをさらに備える方法。
【請求項５】
請求項４に記載の方法において、
Ｍ２インターフェース及び何らかの冗長性による遅延変動に基づいて該アクティブ化タイミングをＭＣＥによって構成するステップをさらに備える方法。
【請求項６】
請求項５に記載の方法において、
該基地局によって、該第１のメッセージを送信するための該ＭＰ時点として、該アクティブ化タイミングに最も近い次のＭＰ時点を判定するステップをさらに備える方法。
【請求項７】
請求項１に記載の方法において、
該第２のメッセージを受信することができなかった場合は、該第１のメッセージの該生成を停止し、該第２のメッセージのすべての必要な情報が正確に受信されるまで、該更新された第１のメッセージの該送信をミュートするステップをさらに備える方法。
【請求項８】
請求項１乃至７のいずれか１項に記載の方法において、
該サービスエリアがＭＢＭＳ単一周波数ネットワークエリアである方法。
【請求項９】
マルチメディア・ブロードキャスト・マルチキャスト・サービス（ＭＢＭＳ）調整エンティティ（ＭＣＥ）からの第２のメッセージを解釈し、そこからＭＢＭＳ単一周波数ネットワークエリアにおける複数の異なるサービスのための送信順序を抽出するように構成された解釈ユニット（２１０）と、
同じトランスポート・ブロック（ＴＢ）内の複数の異なるメッセージの配列順序を定義するように構成された処理ユニット（２２０）と、
第１のメッセージ及びそのＴＢのコンテンツを同期化するために、該解釈ユニット（２１０）によって抽出された複数の異なるサービスのための該送信順序及び該処理ユニット（２２０）によって定義された複数の異なるメッセージの該配列順序を搬送する該第１のメッセージを生成するように構成されたメッセージ生成ユニット（２３０）とを備える基地局。
【請求項１０】
請求項９に記載の基地局において、
該処理ユニット（２２０）が、サービスセッションを停止するための命令が受信されたときは、次の修正期間（ＭＰ）の開始時に該サービスセッションに関する無線ベアラ（ＲＢ）情報を除去するよう指令するようにさらに構成される基地局。
【請求項１１】
請求項９に記載の基地局において、
該処理ユニット（２２０）が、該すべての基地局が同じＭＰ時点において該同じ第１のメッセージを送信することができることを保証するために同じアクティブ化タイミングによって該第１のメッセージを送信するようにさらに構成される基地局。
【請求項１２】
請求項９に記載の基地局において、
該処理ユニット（２２０）が、該第２のメッセージを受信することができなかった場合は、該第１のメッセージの該生成を停止し、該第２のメッセージのすべての必要な情報が正確に受信されるまで、該更新された第１のメッセージの送信をミュートするよう指令するようにさらに構成される基地局。
【請求項１３】
ＭＢＭＳ単一周波数ネットワークエリアにおける複数の異なるサービスのための送信順序を定義するように構成された順序定義ユニット（３１０）と、
基地局が第１のメッセージ及びそのトランスポート・ブロック（ＴＢ）のコンテンツを同期化するのを支援するために、該順序定義ユニット（３１０）によって定義された複数の異なるサービスのための該送信順序を搬送する第２のメッセージを該基地局に送信するように構成された送信ユニット（３２０）とを備え、該第１のメッセージが、複数の異なるサービスのための該送信順序及び該基地局によって定義された該同じトランスポート・ブロック（ＴＢ）内の複数の異なるメッセージの配列順序を搬送する、マルチメディア・ブロードキャスト・マルチキャスト・サービス（ＭＢＭＳ）調整エンティティ（ＭＣＥ）。
【請求項１４】
請求項１３に記載のＭＣＥにおいて、
該すべての基地局が同じ修正期間（ＭＰ）時点において該同じ第１のメッセージを送信することができることを保証するアクティブ化タイミングを構成するためのタイミング構成ユニット（３３０）をさらに備え、
該送信ユニット（３２０）が該すべての基地局に該アクティブ化タイミングを通知するようにさらに構成されるＭＣＥ。
【請求項１５】
請求項９乃至１２のいずれか１項に記載の基地局及び請求項１３乃至１４のいずれか１項に記載のＭＣＥを備える、マルチメディア・ブロードキャスト・マルチキャスト・サービス（ＭＢＭＳ）のためのシステム。
【発明の詳細な説明】
【技術分野】
【０００１】
本発明は、マルチキャスト・ブロードキャスト・サービスに関し、具体的にはメッセージを送信するための方法および装置に関する。
【背景技術】
【０００２】
２００９年３月のＲＡＮ＃６５ｂｉｓにおけるマルチメディア・ブロードキャスト・マルチキャスト・サービス（Ｍｕｌｔｉｍｅｄｉａ  Ｂｒｏａｄｃａｓｔ  Ｍｕｌｔｉｃａｓｔ  Ｓｅｒｖｉｃｅ）（ＭＢＭＳ）ポイント・ツー・マルチポイント制御チャネル（Ｐｏｉｎｔ−ｔｏ−Ｍｕｌｔｉｐｏｉｎｔ  Ｃｏｎｔｒｏｌ  Ｃｈａｎｎｅｌ）（ＭＣＣＨ）に関する追加合意事項によれば、ＭＣＣＨは、Ｒｅ１９  ｅＭＢＭＳにおけるマルチキャスト・チャネル（ＭＣＨ）にマッピングされるだけである。これは、ＭＣＨ上でＭＢＭＳ無線リソース制御（ＲＲＣ）制御信号のマルチキャスト・ブロードキャスト単一周波数ネットワーク（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）（ＭＢＳＦＮ）送信を実行する必要があるという意味を含む。これは、様々なｅＮＢが、正確なＭＢＳＦＮ送信を保証するために、ＭＢＭＳのためのＲＲＣ信号に関する一貫した処理結果を有するべきであることを必要とする。ＲＲＣ信号のこの一貫した処理結果は、ＭＣＣＨ  ＲＲＣメッセージのトランスポート・ブロック（Ｔｒａｎｓｐｏｒｔ  Ｂｌｏｃｋ）（ＴＢ）のコンテンツ同期化、ＭＣＣＨメッセージのための正確な送信タイミング、およびサービスセッションの状態が変わったときのすべてのｅＮＢに関するＲＲＣ制御信号コンテンツに対する均一な処理を含む。マルチベンダの相互運用性を実現するために、いくつかの機構およびルールが定義され標準化さるべきである。
【０００３】
ＭＣＣＨ  ＲＲＣメッセージ送信のための基本的な解決策は、図６に示されている通りである。ＭＣＣＨメッセージは、修正期間（ＭＰ）／反復期間（ＲＰ）の定義に準拠して送信され、すべてのＭＣＣＨメッセージは、１つのＴＢの中で出力されると仮定する。ＭＣＣＨメッセージの送信は、各ＭＰおよびＲＰにおいて行われるだけである。ＭＣＣＨメッセージの更新は各ＭＰの開始時点において行われるだけであり、各ＲＰのある時点においては、現在のＭＰにおけるのと同じＭＣＣＨメッセージだけが再送される。
【０００４】
ＭＣＣＨ  ＲＲＣメッセージＴＢの送信のためのタイミングが定義され、そのタイミングは、同じＭＰおよびＲＰ構成による様々なｅＮＢにおいて同一であることは明らかである。すなわち、ＭＣＣＨ  ＲＲＣメッセージＴＢのための送信タイミングの同期化が保証される。
【０００５】
本発明によって解決されるべき最大の問題は、すべてのＭＣＣＨ  ＲＲＣメッセージＴＢのコンテンツ同期化を維持するように機構を設計することである。現在、従来技術にはそのような解決策はない。
【発明の概要】
【発明が解決しようとする課題】
【０００６】
上記の問題を解決するために、本発明の諸実施形態は、メッセージを送信するための方法および装置を提供する。
【課題を解決するための手段】
【０００７】
本発明の諸実施形態の一態様によれば、メッセージを送信するための方法であって、サービスエリアにおける様々なサービスのための送信順序を定義するステップと、同じトランスポート・ブロック（ＴＢ）内の様々なメッセージの配列順序を定義するステップと、第１のメッセージＴＢのコンテンツを同期化するために、様々なサービスのための送信順序および様々なメッセージの配列順序を搬送する第１のメッセージを生成し送信するステップとを含む方法が提供される。
【０００８】
本発明の諸実施形態の他の態様によれば、マルチメディア・ブロードキャスト・マルチキャスト・サービス（ＭＢＭＳ）調整エンティティ（ＭＣＥ）からの第２のメッセージを解釈し、そこからＭＢＭＳ単一周波数ネットワークエリアにおける様々なサービスのための送信順序を抽出するように構成された解釈ユニットと、同じトランスポート・ブロック（ＴＢ）内の様々なメッセージの配列順序を定義するように構成された処理ユニットと、第１のメッセージＴＢのコンテンツを同期化するために、解釈ユニットによって抽出された様々なサービスのための送信順序および処理ユニットによって定義された様々なメッセージの配列順序を搬送する第１のメッセージを生成するように構成されたメッセージ生成ユニットとを含む基地局が提供される。
【０００９】
本発明の諸実施形態の他の態様によれば、マルチメディア・ブロードキャスト・マルチキャスト・サービス（ＭＢＭＳ）調整エンティティ（ＭＣＥ）であって、ＭＢＭＳ単一周波数ネットワークエリアにおける様々なサービスのための送信順序を定義するように構成された順序定義ユニットと、基地局が第１のメッセージＴＢのコンテンツを同期化するのを支援するために、順序定義ユニットによって定義された様々なサービスのための送信順序を搬送する第２のメッセージを基地局に送信するように構成された送信ユニットとを含み、第１のメッセージが様々なサービスの送信順序および基地局によって定義された同じトランスポート・ブロック（ＴＢ）内の様々なメッセージの配列順序を搬送する、マルチメディア・ブロードキャスト・マルチキャスト・サービス（ＭＢＭＳ）調整エンティティ（ＭＣＥ）が提供される。
【００１０】
本発明の諸実施形態の他の態様によれば、前述の基地局およびＭＣＥを含む、マルチメディア・ブロードキャスト・マルチキャスト・サービス（ＭＢＭＳ）のためのシステムが提供される。
【００１１】
上記の技術的解決策は、ＭＣＣＨ  ＲＲＣメッセージなどのメッセージのＴＢのコンテンツ同期化を実行することができる。
【００１２】
本発明の利点は、図面を参照しながらの以下の説明によって、より明らかになるであろう。
【図面の簡単な説明】
【００１３】
【図１】本発明の一実施形態によるメッセージを送信するためのシステムを例示する概略図である。
【図２】本発明の一実施形態によるメッセージを送信するための基地局を例示するブロック図である。
【図３】本発明の一実施形態によるメッセージを送信するためのＭＣＥを例示するブロック図である。
【図４】本発明の一実施形態によるメッセージを送信するための方法を例示する流れ図である。
【図５】本発明の一実施形態による基本的なプロトコルスタック構造を例示する概略図である。
【図６】従来技術におけるＭＣＣＨ  ＲＲＣメッセージ送信のための基本的な解決策を例示する概略図である。
【発明を実施するための形態】
【００１４】
本発明の諸実施形態は、図を参照しながら詳細に説明される。
【００１５】
ｅＮＢに関して、本発明の諸実施形態は、現在のプロトコルスタック構造に基づいて一貫したＭＣＣＨ  ＲＲＣメッセージ処理機構を提供する。特定のサポートはＭ２には必要とされない、すなわち、ＭＢＭＳ調整エンティティ（ＭＣＥ）は、制約／特定の処理なしにメッセージを生成し送出する。しかし、様々なｅＮＢが同一のＭＣＣＨ  ＲＲＣメッセージＴＢを送信することができることを保証するために、ＭＣＣＨ  ＲＲＣメッセージを生成し送信するｅＮＢのためのいくつかのルールが定義され標準化されるべきであり、ＭＣＣＨメッセージＴＢがＭＢＳＦＮ送信のために使用される。
【００１６】
図１は、本発明の一実施形態によるメッセージを送信するためのシステムの概略図を例示する。図１に示されているように、システムは、下記のようなｅＮＢおよびＭＣＥを含む。
【００１７】
図２は、本発明の一実施形態によるメッセージを送信するための基地局（ｅＮＢ）のブロック図を例示する。図に示されているように、基地局は、ＭＣＥからのメッセージを解釈し、そこからＭＢＳＦＮエリアにおける様々なサービスのための送信順序を抽出するように構成された解釈ユニット２１０と、同じＴＢ内の様々なメッセージの配列順序を定義するように構成された処理ユニット２２０と、ＭＣＣＨ  ＲＲＣメッセージＴＢのコンテンツを同期化するために、様々なサービスのための送信順序および様々なメッセージの配列順序を搬送するメッセージを生成するように構成されたメッセージ生成ユニット２３０とを含む。
【００１８】
処理ユニット２２０は、サービスセッションを停止するようにとの命令を受信するとすぐ、次のＭＰの開始時にサービスセッションの無線ベアラ情報を除去するようにさらに構成されることが可能である。
【００１９】
処理ユニット２２０は、同じアクティブ化タイミングによって、様々なサービスのための送信順序および様々なメッセージの配列順序を搬送するメッセージを送信するようにさらに構成されることが可能である。
【００２０】
処理ユニット２２０は、Ｍ２ＡＰメッセージを受信できなかった場合は、様々なサービスのための送信順序および様々なメッセージの配列順序を搬送するメッセージの生成を停止し、Ｍ２ＡＰ信号のすべての必要な情報が正確に受信されるまで、更新されたＴＢの送信をミュートするよう指令するようにさらに構成されることが可能である。メッセージ生成ユニット２３０は、命令に従って、様々なサービスのための送信順序および様々なメッセージの配列順序を搬送するメッセージの生成を停止するようにさらに構成されることが可能である。
【００２１】
図３は、本発明の一実施形態によるメッセージを送信するためのＭＣＥのブロック図を例示する。図３に示されているように、ＭＣＥは、ＭＢＳＦＮエリアにおける様々なサービスのための送信順序を定義するように構成された順序定義ユニット３１０と、ｅＮＢが様々なサービスのための送信順序およびｅＮＢにおいて定義された同じＴＢ内の様々なメッセージの配列順序を搬送するすべてのメッセージのコンテンツを同期化するのを支援するために、様々なサービスのための送信順序を搬送するメッセージを送信するように構成された送信ユニット３２０とを含む。
【００２２】
ＭＣＥは、すべての基地局が同じＭＰ時点において同じメッセージを送信することができることを保証することができるアクティブ化タイミングを構成するためのタイミング構成ユニット３３０をさらに含む。送信ユニット３２０は、すべての基地局にアクティブ化タイミングを通知するようにさらに構成される。
【００２３】
本発明の諸実施形態による基地局およびＭＣＥは、個別の機能モジュールの形で説明されているが、図２および図３に示されている各構成要素は、実際のアプリケーションでは複数のデバイスによって実施されることが可能であり、図示されている複数の構成要素はまた、実際のアプリケーションでは１つのチップまたは装置に統合されることも可能である。基地局およびＭＣＥはまた、他の目的のために任意のモジュールおよびデバイスを含んでもよい。
【００２４】
本発明の諸実施形態によって提供される方法は、上記の基地局およびＭＣＥに関連して説明される。
【００２５】
図４は、本発明の一実施形態によるメッセージを送信するための方法の流れ図を例示する。
【００２６】
図４に示されているように、ステップ４１０において、ＭＣＥの順序定義ユニット３１０が１つのＭＣＣＨ  ＲＲＣメッセージにおける様々なサービスの順序を定義する。
【００２７】
本発明のこの実施形態では、ｅＮＢの解釈ユニット２１０は、ＭＣＥからのＭ２アプリケーションプロトコル（Ｍ２ＡＰ）メッセージをローカルに解釈し、それらをＭＣＣＨ  ＲＲＣメッセージにアセンブルする。各ｅＮＢは、ＭＣＣＨ  ＲＲＣメッセージＴＢのコンテンツ同期化を維持するために、Ｍ２ＡＰ信号を処理し、ＭＣＣＨ  ＲＲＣメッセージを生成し、ＭＣＣＨメッセージＴＢを送信するときに、いくつかのルールを利用するべきである。
【００２８】
１つのＭＢＳＦＮエリアにおけるすべてのＭＢＭＳサービスのための送信順序は、多種多様なＭＢＭＳサービスをスケジューリングするｅＮＢ、およびＭＣＥによって判定されたＭＢＭＳサービスを受信するＵＥにとって、不可欠な情報である。しかし、現在、この情報を伝送するための明確なメッセージはない。本発明のこの実施形態では、すべてのＭＢＭＳサービスのための送信順序は、ＭＣＥからＭ２ＡＰ信号で搬送されるサービス情報の順序によって含意される。ＭＣＣＨ  ＲＲＣメッセージは、サービスＩＤ、サービス状態、ＭＣＳ、それぞれのサービスのためのＭＢＳＦＮサブフレーム割当パターン（Ｓｕｂｆｒａｍｅ  Ａｌｌｏｃａｔｉｏｎ  Ｐａｔｔｅｒｎ）（ＭＳＡＰ）などを含む、サービスごとの明確な情報要素（ＩＥ）グループを有するべきである。ＩＥグループの定義は、ＲＲＣプロトコルにおいて定義されており、どのサービスに対しても同一である。しかし、複数のサービスの場合は、サービスごとのＩＥグループの順序は、ＭＣＣＨ  ＲＲＣメッセージのコンテンツに影響を及ぼすはずである。ｅＮＢ間で同じメッセージのためのＩＥグループの様々な順序を利用することによって、メッセージのコンテンツが異なるものになることが推量される。同時に、これらのＩＥグループの順序は、１つのＭＢＳＦＮエリアにおけるすべてのＭＢＭＳサービスのための送信順序を含意することもあり得る。
【００２９】
したがって、ｅＮＢのメッセージ生成ユニット２３０がＭＣＣＨ  ＲＲＣメッセージを生成するときは、サービスのためのＩＥグループの順序は、ＭＣＥから受信されたメッセージ内のサービスのための配列順序に従うべきであり、サービスの配列順序は、すべてのｅＮＢに対して同一である。
【００３０】
例えば、一実施形態では、１つのＭＢＳＦＮエリアにおいて同時に送信される３つのサービス、Ｓ１、Ｓ２およびＳ３がある。３つのサービスの送信順序は、ＭＣＥによってＳ２、Ｓ３およびＳ１と決定される。次いで、ＭＣＥが３つのサービスに関する制御情報をＭ２インターフェースを介してｅＮＢに伝送するときは、サービスごとの制御情報の順序は、３つのサービスの送信順序を含意するＳ２、Ｓ３、Ｓ１の順に配列される。ｅＮＢがＭＣＥからＭ２ＡＰ信号を受信しＭＣＣＨ  ＲＲＣメッセージを生成するときは、ＩＥグループの順序はまた、ＭＣＥからのこの順序、すなわちＳ２、Ｓ３、Ｓ１に従うべきである。同じ順序が利用されるので、すべてのｅＮＢは、どのＭＣＣＨ  ＲＲＣメッセージに対しても一貫した結果を得て、ＭＣＣＨ  ＲＲＣメッセージのコンテンツの一貫性を保証することができる。
【００３１】
ステップ４２０において、ｅＮＢの処理ユニット２２０が同じＴＢ内の様々なメッセージの配列順序を定義する。
【００３２】
前述のように、ＭＢＭＳ信号の多種多様なＭＣＣＨメッセージがあり、これらのＭＣＣＨメッセージは、ＭＰまたはＲＰのある時点において１つのＴＢで同時に送信される。どのＭＣＣＨメッセージのコンテンツも同一である場合は、様々なｅＮＢにおいて生成されるＭＣＣＨ  ＲＲＣメッセージＴＢ内のＭＣＣＨメッセージの配列は、様々なｅＮＢにおいて生成されるＭＣＣＨ  ＲＲＣメッセージＴＢのコンテンツの一貫性に影響を及ぼすはずである。したがって、１つのＴＢ内の、すなわちＭＣＣＨメッセージＴＢ内のＭＣＣＨ  ＲＲＣメッセージの順序、つまりどのメッセージが最初に配列されるべきか、どのメッセージが２番目に配列されるべきかなどを定義することが必要であり、これは標準化される必要がある。
【００３３】
例えば、一実施形態では、「ＭＢＭＳ修正サービス情報」、「ＭＢＭＳ無修正サービス情報」および「現在のセルのＰＴＭ  ＲＢ情報」である３つのＭＣＣＨ  ＲＲＣメッセージがある。１つのＴＢ内のこれらの３つのメッセージは、これらの３つのメッセージの順序を示す固定パターンで配列されるべきである。例えば、第１のものは「ＭＢＭＳ修正サービス情報」であり、第２のものは「ＭＢＭＳ無修正サービス情報」であり、第３のものは「現在のセルのＰＴＭ  ＲＢ情報」である。この予め決められた配列順序のルールによれば、すべての関係ｅＮＢは、１つのＴＢ内のメッセージの順序の一貫した結果を有することになる。
【００３４】
ステップ４３０において、ｅＮＢのメッセージ生成ユニット２３０がＭＣＣＨ  ＲＲＣメッセージを生成し、ＭＣＣＨ  ＲＲＣメッセージは、ステップ４１０において判定された様々なサービスのための送信順序、およびステップ４２０において判定された同じＴＢ内の様々なメッセージの配列順序を搬送する。各ｅＮＢに関しては、ＴＢ内のすべてのメッセージの配列順序および各メッセージのコンテンツ（例えば、どのサービスが関連しているか）の両方が判定され、したがって、ＭＣＣＨ  ＲＲＣメッセージＴＢのコンテンツ同期化が様々なｅＮＢのために実現される。
【００３５】
さらに、本発明の諸実施形態は、ｅＮＢ内のＭＣＣＨメッセージの変更に関する一貫した処理をさらに実行することができる。
【００３６】
１つのサービスセッションが終了すると、このサービスのＲＢ情報は無効になるはずである。ｅＮＢの処理ユニット２２０は、関連ＭＣＣＨ  ＲＲＣメッセージからこのサービスに関するＲＢ情報を除去することができる。しかし、これは、すべてのｅＮＢがこの終了したサービスのＲＢ情報を除去するために一貫した処理を実行することを必要とする。その場合、次に続くＭＣＣＨ  ＲＲＣメッセージのコンテンツは、様々なｅＮＢに対して同じであり続けることができる。この問題に関する基本的なルールは以下の通りである。
【００３７】
ＭＰ／ＲＰの定義によれば、サービスセッションを停止するための命令がこのＭＰにおいて送信されたときは、ｅＮＢの処理ユニット２２０は次のＭＰの開始時に特定のサービスのＲＢ情報を除去する。
【００３８】
さらに、本発明の諸実施形態は、様々なｅＮＢ宛のＭ２メッセージの様々な送信遅延を処理するためにさらに使用されることが可能である。
【００３９】
ＭＣＥから様々なｅＮＢへのＭ２ＡＰ信号の送信時間は、様々な経路のため様々である。他の場合は、同じＭ２ＡＰメッセージが、様々なＭ２再送信手順を介して様々なｅＮＢによって正確に受信される場合である。この結果、様々なｅＮＢが様々なタイミングでＭ２ＡＰメッセージを受信することができることになる。ＭＣＣＨ  ＲＲＣメッセージの正確なＭＢＳＦＮ送信を実現するためには、すべての関係ｅＮＢが、様々なｅＮＢにおける同じＭ２ＡＰ信号の様々な受信タイミングにもかかわらず、同じＭＣＣＨ  ＲＲＣメッセージＴＢを同時に送信する必要がある。
【００４０】
様々なｅＮＢが、遅延またはＭ２再送信のため異なるタイミングでＭ２ＡＰメッセージを受信する可能性があるというこの問題を解決するためには、すべてのｅＮＢの処理ユニット２２０が、Ｍ２ＡＰメッセージにおいてＭＣＥのタイミング構成ユニット３３０によって構成された同じアクティブ化タイミングによって、関連ＭＣＣＨ  ＲＲＣメッセージを送信するべきである。このアクティブ化タイミングは、Ｍ２インターフェースおよび何らかの冗長性による遅延変動を考慮するが、このことは、すべてのｅＮＢが同じＲＲＣ  ＭＣＣＨメッセージを同じＭＰ時点において送信することができることを保証することができる。ｅＮＢの処理ユニット２２０は、ＭＣＣＨ  ＲＲＣメッセージＴＢの送信のためのＭＰ時点として、このアクティブ化タイミングに最も近い次のＭＰ時点を判定するべきである。
【００４１】
さらに、本発明の諸実施形態はまた、ｅＮＢがＭ２ＡＰ信号を適時に正確に受信しない異常な場合を処理することもできる。
【００４２】
ｅＮＢの処理ユニット２２０がＭ２ＡＰメッセージの受信の失敗を発見した場合は、ｅＮＢの処理ユニット２２０は、ＭＣＣＨ  ＲＲＣメッセージの生成を停止するよう指令するべきであり、Ｍ２ＡＰ信号のすべての必要な情報が正確に受信されるまで、更新されたＭＣＣＨ  ＲＲＣメッセージＴＢの送信をミュートするものとする。メッセージ生成ユニット２３０は、処理ユニット２２０の命令に従ってＭＣＣＨ  ＲＲＣメッセージの生成を停止する。
【００４３】
図５は、本発明の一実施形態による基本的なプロトコルスタック構造の概略図を例示する。図５に示されているように、ｅＮＢは、ＭＣＣＨ  ＲＲＣメッセージを生成するためにＭＣＥから送信されたＭ２ＡＰ信号から所望の情報を抽出し、それによって、すべてのｅＮＢとＵＥとの間のＭＣＣＨ  ＲＲＣメッセージＴＢのコンテンツ同期化を実現する。図５におけるＰＤＣＰ、ＲＬＣ、ＭＡＣおよびＰＨＹは、ｅＮＢとＵＥとの間の他の通信のために使用される。
【００４４】
上記の技術的解決策によれば、ＭＣＣＨ  ＲＲＣメッセージＴＢのコンテンツ同期化が実現され維持されることが可能である。
【００４５】
上記方法の様々なステップはプログラミング・コンピュータによって実行されることが可能であることを当業者は容易に理解することができる。この文脈では、いくつかの実施形態は、デジタルデータ記憶媒体およびプログラムされた機械実行可能またはコンピュータ実行可能プログラム命令などの機械可読またはコンピュータ可読プログラム記憶デバイスをカバーするものとし、これらの命令は上記方法のステップの一部またはすべてを実行する。例えば、プログラム記憶媒体は、デジタルストレージ、磁気記憶媒体（磁気ディスクもしくは磁気テープなど）、ハード・ディスク・ドライバ、または光可読デジタルデータ記憶媒体でよい。これらの実施形態はまた、上記方法のステップを実行するようにプログラムされたコンピュータをカバーするものとする。
【００４６】
上記の説明および図は、本発明の原理を例示するだけである。したがって、当業者は、本発明の原理を反映し本発明の趣旨および範囲の中にある様々な構造を、これらの様々な構造が本明細書では明示的に説明または示されていなくても、提案することができることを理解されたい。さらに、本明細書に記載されているすべての実施例は、主として教示目的のために限定的に使用され、読者が本発明の原理および発明者によって考えられた概念を理解し、本分野の発展を促進するのを支援するものであって、これらの具体的に述べられた実施例および条件を限定すると解釈されるべきではない。さらに、本明細書に記載された本発明の諸原理、諸態様および諸実施形態の記述、ならびにそれらの具体的な諸実施例は、それらの同等物を含む。上記の説明は、本発明の諸実施形態を実施するためだけである。本発明の範囲から逸脱しないいかなる修正または部分的代替もすべて、本発明の添付の特許請求の範囲によって定義された範囲に含まれることを当業者は理解されたい。したがって、本発明の保護の範囲は、添付の特許請求の範囲の保護範囲を条件とするものとする。
【図１】
0005386035.tif 000002
【図２】
0005386035.tif 000003
【図３】
0005386035.tif 000004
【図４】
0005386035.tif 000005
【図５】
0005386035.tif 000006
【図６】
0005386035.tif 000007